(57)【要約】【課題】レトロ調の表示を行う時計に関し、構造の簡素化が図られ、スペース効率にも優れ、設計の自由度を格段に向上させることができる時計の表示装置、およびこの表示装置を備えた時計の提供。【解決手段】時計１の曜表示装置２０では、レバー４３の軸部４３１に曜針５２が設けられ、レバー４３の回動が曜針５２に直接伝達されることによってレバー４３の回動・復帰動作に連動する曜針５２の往復動作を実現しているため、レバー４３の回動を曜針５２に伝達するラックなどの送り機構を不要にできる。このように、レバー４３の回動を伝達する機構が不要となるから、構造を簡素なものとすることができ、省スペース化および低コスト化も図られる。すなわち、曜表示装置２０は、レトロ調たる曜針５２の往復運動をカム４２およびレバー４３のみによって実現したものであり、その構成を非常にシンプルかつコンパクトなものとすることができる。【選択図】図４
2006258437.tif 000002
【特許請求の範囲】
【請求項１】
動力源によって回転される駆動車と、
この駆動車によって駆動される従動車と、
この従動車を介して回転するカムと、
このカムに当接される回動可能なレバーと、
このレバーの回動軸と同軸上に設けられて回動する指示部材と、
この指示部材の回動により示される扇形の表示部とを備えた
ことを特徴とする時計の表示装置。
【請求項２】
請求項１に記載の時計の表示装置において、
前記レバーを前記カムに当接された状態に付勢する付勢手段を備えている
ことを特徴とする時計の表示装置。
【請求項３】
請求項１または請求項２に記載の時計の表示装置において、
前記駆動車は、時針が取り付けられた筒車であり、
この筒車と前記従動車との間には、前記従動車を送る送り爪を有する中間車が設けられている
ことを特徴とする時計の表示装置。
【請求項４】
請求項１ないし請求項３のいずれかに記載の時計の表示装置において、
前記カムの回転軸と前記従動車の回転軸とが同軸上に配置され、
前記レバーの一部は、前記カムと重なっている
ことを特徴とする時計の表示装置。
【請求項５】
請求項４に記載の時計の表示装置において、
前記駆動車、前記従動車、および前記カムは、地板とこの地板と対向する板部材との間で軸支され、
前記レバーは、軸部と、この軸部に設けられる板状の本体とを別体で有し、
前記軸部は、前記地板に軸支されて前記板部材に形成された軸孔から先端部が突出し、
前記本体は、前記板部材の前記地板とは反対側から前記軸部に取り付けられ、その一部が前記地板側に曲げられて前記板部材に形成された開口を貫通して前記カムに当接される
ことを特徴とする時計の表示装置。
【請求項６】
請求項１ないし請求項５のいずれかに記載の表示装置を備えた
ことを特徴とする時計。
【発明の詳細な説明】
【技術分野】
【０００１】
本発明は、月、日、曜などの暦や時刻を扇形の表示部に表示するレトロ調の時計の表示装置、および時計に関する。
【背景技術】
【０００２】
従来、暦表示を行う時計に関しては、暦表示用のリング状の回転板（日車、曜車）が採用され、この回転板の周に沿って印字された、日なら１〜３１、曜ならSun〜Sat等の文字を文字板の窓から順次表示することによって暦表示を行っていた。
一方、日や曜、時分などの目盛が文字板上の扇形の表示部に描かれ、指針によって暦や時刻を示すレトロ調（レトログラード）の時計の表示機構も知られている。このレトロ調タイプの時計において、曜表示を例にとると、指針は、Sun、Mon、Tue・・・と順次進み、Satの次は再び、Sunの位置に戻る。このような指針の往復運動を実現するために、特許文献１では、日表示に関して、地板の裏側に設けられた従来のリング状の日車（ただし日の印字はない）の外周形状を螺旋状とし、これをカムとして利用することが提案されている。具体的に、特許文献１の時計では、指針が取り付けられたピニオンと、このピニオンに互いに反対方向から噛合う一対のラックとが地板に回動可能に取り付けられている。そして、一方のラックを介したばね押圧によって他方のラックがカムとしての回転板の外周に当接しており、日車の回転に応じて指針が往復運動するようになっている。
【０００３】
【特許文献１】特開平１１−６８８０号公報（［請求項２］［０００２］［００１６］、図３）
【発明の開示】
【発明が解決しようとする課題】
【０００４】
しかしながら、特許文献１のような従来の日車を使用する構成では、日車によってムーブメント外周が占められてしまうので、スペース的な制約が大きい。そして、ムーブメントの部品を日車の内周よりも内側に配置する必要があるので、構造が複雑化してしまう。したがって、特許文献１の構成を既存のムーブメントにおいて実現しようとすると、大幅な設計変更が必要となり、製品展開を促進することができない。特に、日のほかに曜、月などを表示するレトロ調表示や、２４時間表示、スモールセコンド、クロノグラフなどのインダイアル表示を行う構成を追加するとき、構造の複雑化は顕著な問題となる。
また、特許文献１の構成では、日表示の指針を日車の外周側から内側を指し示す向きでしか設けることができないなどの設計上の制約があった。
【０００５】
このような問題点から、本発明の目的は、レトロ調の表示を行う時計に関し、構造の簡素化が図られ、スペース効率にも優れ、設計の自由度を格段に向上させることができる時計の表示装置、およびこの表示装置を備えた時計を提供することにある。
【課題を解決するための手段】
【０００６】
本発明の時計の表示装置は、動力源によって回転される駆動車と、この駆動車によって駆動される従動車と、この従動車を介して回転するカムと、このカムに当接される回動可能なレバーと、このレバーの回動軸と同軸上に設けられて回動する指示部材と、この指示部材の回動により示される扇形の表示部とを備えたことを特徴とする。
【０００７】
この発明によれば、駆動車、従動車、カム、レバー等によってレトロ調の表示機構が装備される。その表示機構の作用としては、まず、従動車が、駆動車の駆動力によって、日、月、曜など、表示の目的に応じた送り量で回転する。次いで、この従動車を介してカムが回転することにより、カムに当接されるレバーが回動する。そして、レバーの回動軸に設けられた指示部材が扇形の表示部の一端側から他端側に向かって回動し、この指示部材によって暦、あるいは時刻が順番に指し示されていくことになる。さらに、指示部材が表示部の他端まで到達した際は、カムの周期終了に伴うレバーの復帰によって、指示部材が表示部の一端側に戻る。このような指示部材の往復運動により、日、月、曜などの暦、あるいは時刻が繰り返し表示される。
【０００８】
ここで、本発明は、駆動車、従動車、カム、レバー、指示部材などの構造が簡単な部品を適宜組み合わせることが可能であって、駆動車、従動車、カム、レバー等を無理なく配置して簡素な構造とすることができる。
さらに、本発明では、レバーの軸部に指示部材が設けられ、レバーの回動を指示部材に直接伝達して指示部材の往復動作を実現しているため、レバーの回動を指示部材に伝達するラックなどの送り機構を不要にできる。このように、レバーの回動・復帰動作に指示部材が連動し、レバーの回動を伝達する機構が不要となるから、構造を一層簡素なものとすることができ、省スペース化および低コスト化も図られる。すなわち、本発明は、所定の送り量で回転されるカムおよびレバーのみによってレトロ調の運針（指示部材の往復運動）を実現したものであり、極めてシンプルで、コンパクトな構成とすることができる。
このように、構造が簡素であることから、設計が容易であり、例えば、日表示および曜表示等の複数系統のレトロ調表示を採用する、あるいは、クロノグラフ等のインダイアル表示とレトロ調表示とを併せて採用するなど、設計の自由度を格段に向上させることができる。
また、駆動車、従動車、カム、レバー等の組み合わせ次第で指示部材を設ける位置や向きも自在にできる。
【０００９】
本発明の時計の表示装置では、前記レバーを前記カムに当接された状態に付勢する付勢手段を備えていることが好ましい。
この発明によれば、付勢手段によりレバーがカムから離れることなく確実に当接されるので、レバーや指示部材などのがたつきを防止でき、指示部材を正確に移動させることができる。
なお、時計の表示装置における作用としては、レバーがカムの回転中心から離れる方向に回動するのに伴ってレバーに対する付勢手段の付勢力が蓄積され、カムの周期終了時にレバーが逆方向に戻り、付勢手段の付勢力が解放されることによって、指示部材を瞬間的に復帰させることができる。
【００１０】
本発明の時計の表示装置では、前記駆動車は、時針が取り付けられた筒車であり、この筒車と前記従動車との間には、前記従動車を送る送り爪を有する中間車が設けられていることが好ましい。
この発明によれば、時計が通常備え、時刻表示の機構を構成する筒車を駆動車として活用するので、この筒車からの駆動力が中間車、従動車に確実に伝達され、設計効率も良好にできる。
また、中間車を設けたことにより、筒車と中間車との間で１／２減速され、筒車、中間車、従動車へと段階的に減速する減速輪列が構成されるので、歯車が大型化することなく、装置全体を小型化することができる。さらに、中間車の送り爪により、従動車を１日に一歯ずつ瞬間的に送ることができる。
【００１１】
本発明の時計の表示装置では、前記カムの回転軸と前記従動車の回転軸とが同軸上に配置され、前記レバーの一部は、前記カムと重なっていることが好ましい。
この発明によれば、カムと従動車とが重なり、そして、レバーの一部がカムと重なるので、平面方向（時計の視認方向と交差する方向）でのスペースを小さくでき、表示装置の組み込み性を向上させることができる。なお、レバーが駆動車や従動車、中間車とも重なる方が好ましい。
また、カムと従動車とが同軸とされているから、従動車の回転をカムに確実に伝えることが可能となる。
【００１２】
本発明の時計の表示装置では、前記駆動車、前記従動車、および前記カムは、地板とこの地板と対向する板部材との間で軸支され、前記レバーは、軸部と、この軸部に設けられる板状の本体とを別体で有し、前記軸部は、前記地板に軸支されて前記板部材に形成された軸孔から先端部が突出し、前記本体は、前記板部材の前記地板とは反対側から前記軸部に取り付けられ、その一部が前記地板側に曲げられて前記板部材に形成された開口を貫通して前記カムに当接されることが好ましい。
【００１３】
この発明によれば、レバーの軸部と本体とが別体とされ、レバーの本体が時計の厚さ方向において駆動車や従動車、カムが配置された位置とは異なる位置に配設されるので、レバーの軸部を駆動車、従動車などと近付けてまとまりよく配置することで、組み込み性およびスペース効率を向上させることができる。組み込みの順序としては、軸部に板部材を設け、そして板部材から突出する軸部に本体を取り付け、最後に軸部に指示部材を取り付けるのが適当である。
また、レバーを板状に形成し、一部を曲げることでカムと当接する部分を確保したので、ムーブメントを薄型にできる。
【００１４】
本発明の時計は、前述の表示装置を備えたことを特徴とする。
この発明によれば、表示装置が前述したような作用及び効果を具備するため、同様の作用および効果を享受できる。
【発明の効果】
【００１５】
このような本発明によれば、レトロ調の表示を行う時計に関し、その簡素かつ省スペースな構造により、レイアウト自在であって設計が容易な時計の表示装置、およびこの表示装置を備えた時計を提供できる。
【発明を実施するための最良の形態】
【００１６】
以下、本発明の実施形態を図面に基づいて説明する。
図１は、本実施形態の時計１の外観図である。
時計１は、駆動装置であるムーブメント（時計体）２と、このムーブメント２を収容するケース３とを備えた腕時計（ウォッチ）である。時計の種類は、クォーツ時計、機械式時計、電子制御式機械時計のいずれでもよいが、本実施形態の時計１は、アナログクォーツ時計として構成され、ムーブメント２には、文字板１１およびりゅうず１３が取り付けられている。文字板１１上には、時刻（時分秒）、曜、日、時（２４時間制）がそれぞれ表示されている。すなわち、文字板１１の略中央には、時刻表示の構成として、秒針１２１、分針１２２、時針１２３が設けられている。また、文字板１１の中央よりも９時側には扇形の表示部５１が設けられ、この表示部５１の表示は、曜針５２が往復運動するレトロ調のものとなっている。さらに、３時方向および６時方向には、円形状の表示部６５，７５がそれぞれ設けられ、これらの表示部６５，７５では日針６６、２４時間針７６の回転により日、時（２４時間制）がそれぞれ表示されている。
【００１７】
図２は、ムーブメント２を文字板１１側から見た平面図であり、図３は、ムーブメント２の要部断面図である。なお、図２では、押さえ２４および受け２５の図示を省略している。
ここで、秒針１２１、分針１２２、時針１２３を駆動する構成は、通常のアナログクォーツと同様のものであって、水晶振動子が組み込まれた回路基板と、コイル、ステータ、ロータを有するステッピングモータと、図３に示す四番車１１４、二番車１１２、筒車３１等による駆動輪列（図示しない日の裏車、三番車、および五番車なども含まれる）と、動力源である電池とを備えて構成されている。この構成では、水晶振動子で発振され回路ブロックを経て分周されたパルス信号により、ステッピングモータが駆動する。そして、ステッピングモータの駆動力がロータを介して駆動輪列に伝達されることにより、四番車１１４に設けられた秒針１２１と、二番車１１２に設けられた分針１２２と、筒車３１に設けられた時針１２３とがそれぞれ駆動されている。なお、ステッピングモータの数は問わず、例えば、秒針１２１の駆動用に１つ、分針１２２および時針１２３の駆動用に１つ、計２つのステッピングモータが設けられていてもよい。
【００１８】
次に、日表示装置６０の構造、および２４時間制表示装置７０の構造について説明する。
ムーブメント２には、図２に示すように、日表示に係る日表示装置６０と、２４時間制表示に関する２４時間制表示装置７０と、後述するレトロ調の曜表示に係る曜表示装置２０とが組み込まれている。
【００１９】
日表示装置６０は、平面視略円形状の地板２３の中央に配置された筒車３１と、日回し車６２と、日星車６３と、日針６６と、表示部６５（図１）とを備えて構成されている。
筒車３１は、１２時間で１回転するスリーブ状の歯車であり、この筒車３１には、時針１２３（図１）が取り付けられている。筒車３１は、歯数８の送り車３１１を有し、この送り車３１１が日回し車６２と噛合っている。
【００２０】
日回し車６２は、筒車３１の回転を１／２に減速して１日（２４時間）で１回転している。この日回し車６２は、筒車３１と噛合う歯数１６の日回し伝え車６２１（図２中、背面側）と、歯数２４の日回し送り車６２２（図２中、表側）とが積層された構造である。ここで、日回し伝え車６２１には、送り爪６２１Ａが形成され、この送り爪６２１Ａによって日星車６３が１日に一歯ずつ送られている。
【００２１】
日星車６３は、歯数が３１に設定され、３１日で１回転している。この日星車６３には、日針６６が取り付けられ、表示部６５（図１）における日針６６の回転により、日が表示されている。
なお、この日星車６３の歯は、地板２３に基端側が取り付けられた図示しないジャンパの先端部で付勢されている。このジャンパの付勢力により、日針６６が間欠的に駆動されている。
【００２２】
一方、２４時間制表示装置７０は、前述の筒車３１および日回し車６２と、小星車７３と、２４時間針７６と、表示部７５（図１）とを備えて構成されている。
筒車３１および日回し車６２は、２４時間制表示装置７０と日表示装置６０とで共通の構成である。
【００２３】
小星車７３は、歯数が２４に設定され、日回し送り車６２２との噛合いによって１日で１回転している。この小星車７３には２４時間針７６が取り付けられ、表示部７５（図１）における２４時間針７６の回転により、２４時間制の時が表示されている。
【００２４】
次に、本実施形態において最も特徴的な曜表示装置２０の構造について詳細に説明する。
図４は、図２の要部拡大図である。ここで、図４で示した押さえ２４は、地板２３（図２）に２箇所でねじ止めされ、曜表示装置２０の構成部品を地板２３との間に押さえている。
図３、図４において、曜表示装置２０は、駆動力を伝達する歯車列３０と、この歯車列３０から駆動力を受け取り、指示部材としての曜針５２を往復運動させる制御部４０と、表示部５１および曜針５２により構成される指示部５０とを備えて構成されている。
【００２５】
歯車列３０は、駆動車としての前述の筒車３１と、筒車３１と噛合う中間車としての曜回し車３２とを備えている。
筒車３１は、２４時間制表示装置７０と、日表示装置６０と、曜表示装置２０とで共通の構成であり、ここでは説明を省略する。筒車３１の送り車３１１（歯数８）は、曜回し車３２と噛合っている。
【００２６】
曜回し車３２は、筒車３１の回転を１／２に減速して１日で１回転するものであって、筒車３１の駆動力を制御部４０に伝えている。この曜回し車３２は、歯数が１６に設定され、曜中間車４１を送る送り爪３２１を有し、この送り爪３２１によって曜中間車４１は１日に一歯ずつ送られている。
【００２７】
制御部４０は、従動車としての曜中間車４１と、カム４２と、このカム４２に当接された状態にばね４６によって付勢される回動可能なレバー４３とを備えて構成されている。
【００２８】
曜中間車４１は、曜回し車３２から受け取った駆動力によって回転するものであって、歯数が７に設定され、７日（１週間）で１回転している。曜中間車４１の近傍には、曜中間車４１の歯を付勢するためにジャンパ４１１が設けられている。このジャンパ４１１の付勢力により、曜中間車４１は間欠的に駆動されている。
【００２９】
カム４２は、曜中間車４１と共に７日で１回転する平面カムであって、図３に示すように、地板２３とこれに対向する押さえ２４との間に曜中間車４１と同軸上で、かつ一体に設けられている。このようにカム４２と曜中間車４１とが同軸とされているため、曜中間車４１の回転をカム４２に確実に伝えることが可能となる。カム４２には、図４に示すように、１つのピーク部４２１が設けられており、開始端部４２２からピーク部４２１までがアルキメデス渦巻線状に形成されている。このようなカム４２の従動節はレバー４３である。
【００３０】
レバー４３は、軸部４３１と、この軸部４３１に設けられる薄板状の本体４３２とを有している。
軸部４３１は、曜回し車３２の軸部３２２と曜中間車４１の軸部４１２との近傍で、地板２３に設けられた受け２５（図３）に軸支され、軸部４３１の先端部４３１Ａは板部材としての押さえ２４および文字板１１から突出している。この先端部４３１Ａに、本体４３２および曜針５２が取り付けられている。組み込みの手順としては、地板２３に軸支された筒車３１、曜回し車３２、曜中間車４１、および受け２５に軸支された軸部４３１などの上に押さえ２４を配設し、押さえ２４の軸孔２４３（図３）から突出する軸部４３１の先端部４３１Ａに本体４３２を取り付けたのち、先端部４３１Ａに曜針５２を取り付ける。
なお、軸部４３１の先端部４３１Ａは、断面形状の一部に直線部４３１Ｂが形成され、この直線部４３１Ｂによって先端部４３１Ａの軸周りに本体４３２が固定されている。
【００３１】
本体４３２は、軸部４３１の先端部４３１Ａが係合する孔４３２Ｃ（図３）を有した薄板状の部材であり、曜回し車３２と曜中間車４１との間の位置で、これらの曜回し車３２、曜中間車４１、および筒車３１とまとまり良く配置されている。
本体４３２の形状は、図示したものに限られないが、本実施形態では、軸部４３１を長軸の一端側とする略長円形状であり、長軸と交差する方向に突出する凸部４３２Ａが形成されている。
凸部４３２Ａは、押さえ２４に形成された開口２４１を貫通するように、地板２３側に略垂直に折り曲げられている。この折り曲げ部４３２Ｂは、カム４２に当接され、折り曲げ部４３２Ｂ近傍の本体４３２の平面的な部分は、カム４２と重なる重なり部４３２Ｄとなっている。
ばね４６は、ねじりコイルばねであり、押さえ２４に形成された突出部２４２とレバー４３の本体４３２との間で軸部２４４を中心に係止されている。このばね４６により、レバー４３が軸部４３１と離れた位置からカム４２に向かって付勢されている。
【００３２】
一方、指示部５０は、レバー４３の軸部４３１に取り付けられた曜針５２と、文字板１１上の扇形の表示部５１（図１）とにより構成されている。
表示部５１は、図１に示すように、扇形の円中心Ｏが文字板１１中心の９時側に位置するように設けられ、円中心Ｏから略１２時方向に向かって拡開する向きで設けられている。この表示部５１の扇形の円弧に沿って、「SUN」〜「SAT」の文字が所定間隔で印字されており、これは曜を示す目盛５１１となっている。
【００３３】
以上、時計１の構成について説明した。次に、曜表示装置２０の動作について説明する。
ステッピングモータの駆動力が図示しない駆動輪列を介して筒車３１に伝えられ、筒車３１は、１２時間で１回転、すなわち１日に２回転する。この筒車３１の回転は、筒車３１から曜回し車３２に伝えられる際に１／２に減速され、曜回し車３２は、１日に１回転する。そして、曜回し車３２の送り爪３２１によって、曜中間車４１が１日に一歯ずつ送られる。この曜中間車４１に伝えられる駆動力は、曜回し車３２の回転速度を基準とすると、１／７に減速されて伝えられる。
そして、曜中間車４１の回転は、曜中間車４１を介してカム４２にも伝えられ、カム４２および曜中間車４１全体が、７日（１週間）で１回転する。
【００３４】
次に、カム４２およびレバー４３は、制御部４０を構成するものであって、カム４２の回転により、レバー４３が回動し、レバー４３の軸部４３１に取り付けられた曜針５２が表示部５１において運針される。図５は、このカム４２、レバー４３、および曜針５２の動作について示した図である。具体的に、レバー４３は、図５（Ａ）に示すように、折り曲げ部４３２Ｂでカム４２の開始端部４２２に当接された状態から、カム４２の回転によって徐々に、図５（Ｂ）に示すように、順方向（ここでは左回り）に回動する。このレバー４３の回動により、軸部４３１に設けられた曜針５２も回動し、表示部５１の目盛５１１が曜針５２によって順次、指し示されていく。この際、レバー４３の回動に伴ってばね４６（図４）の撓み量（ばね力）が蓄積されていく。
【００３５】
こうして、図５（Ｃ）に示すように、曜針５２が表示部５１の目盛５１１の終了位置５１１Ｂ（図１）まで進んだとき、レバー４３の凸部４３２Ａがカム４２のピーク部４２１と重なり、折り曲げ部４３２Ｂがカム４２の外周側に当接された状態となっており、この状態で送り爪３２１（図４）によって曜中間車４１が次に送られたとき、曜中間車４１の回転に伴ってカム４２が回転し、カム４２の周期が終了する。このカム４２の周期終了の際には、折り曲げ部４３２Ｂがカム４２の外周部から離れ、ばね４６に蓄積されたばね力により、折り曲げ部４３２Ｂとカム４２との当接部分がピーク部４２１から開始端部４２２に瞬間的に移動するとともに、レバー４３が図５（Ｃ）において右方向に回動して２点鎖線で示した状態に戻る。このレバー４３の逆回転により、曜針５２が表示部５１の目盛５１１の開始位置５１１Ａに復帰（帰零）することになる。そして、カム４２の次の周期が開始し、前述のようなカム４２の回転に応じたレバー４３の回動、復帰動作が繰り返されることによって、曜針５２の往復運動が７日周期で行われる。
【００３６】
以上説明した本実施形態によれば、次のような効果がある。
（１）時計１の曜表示装置２０では、レバー４３の軸部４３１に曜針５２が設けられ、レバー４３の回動を曜針５２に直接伝達して曜針５２の往復動作を実現しているため、レバー４３の回動を曜針５２に伝達するラックなどの送り機構を不要にできる。このように、レバー４３の回動・復帰動作に曜針５２が連動し、レバー４３の回動を伝達する機構が不要となるから、構造を簡素なものにでき、省スペース化および低コスト化も図られる。すなわち、曜表示装置２０は、レトロ調の運針を所定の送り量で回転されるカム４２およびレバー４３のみによって実現したものであり、その構成はシンプルかつコンパクトである。
【００３７】
（２）曜表示装置２０は、筒車３１、曜中間車４１などの歯車、そしてカム４２、レバー４３などの簡単な構造の部品により構成され、これらの部品が地板２３のスペースに無理なく配置される点でも、レトロ調の曜表示装置２０の構造を簡素なものとすることができる。従って、曜表示装置２０を容易に設計、組み立てでき、品質を安定させることができる。また、構造が複雑でないことから、女性用にサイズを小さくしたモデルの提供も容易となる。
【００３８】
（３）また、曜表示装置２０の構造が簡素であることにより、日表示装置６０や２４時間制表示装置７０を備えていてもムーブメント２全体の構造が複雑とならず、曜表示、月表示、２４時間制表示、時刻（時分秒）表示の各機能を具備する多機能な時計１を安価に提供できる。また、設計の自由度を大きく向上させることができる。
【００３９】
（４）カム４２が曜中間車４１と重なり、そして、レバー４３の重なり部４３２Ｄがカム４２と重なっているので、これらのカム４２、曜中間車４１、レバー４３がまとまりよく配置され、曜表示装置２０の組み込み性、および平面的なスペース効率を向上させることができる。また、カム４２は曜中間車４１が占める平面的な領域内に、レバー４３は曜中間車４１や曜回し車３２が占める平面的な領域内に、それぞれ納まっているか、若しくはその領域から大きくはみ出すことがないように設けられているため、曜表示装置２０の地板２３に占めるスペースが指針を回転させる円形状のインダイアル表示を行う構成の占有スペースと殆ど変わらない。そのため、既存のムーブメントにおいて、インダイアル表示の構成をレトロ調の曜表示装置２０に置き換えることも容易にできる。
【００４０】
（５）レバー４３の軸部４３１と本体４３２とは別部材からなり、かつ、レバー４３の本体４３２が押さえ２４の上に配置されることにより、レバー４３の本体４３２が時計１の厚さ方向において筒車３１や曜中間車４１、カム４２が配置された位置とは異なる位置に配設されるので、レバー４３の軸部４３１を筒車３１、曜中間車４１などと近付けてまとまりよく配置することで、組み込み性およびスペース効率を向上させることができる。
【００４１】
（６）曜表示装置２０、日表示装置６０、および２４時間制表示装置７０を共通に構成する筒車３１を駆動車として活用するので、この筒車３１からの駆動力が曜回し車３２、曜中間車４１に確実に伝達され、設計効率も良好にできる。
【００４２】
〔変形例〕
本発明は、前述の実施形態に限定されるものではない。すなわち、本発明は、主に特定の実施の形態に関して特に図示され、かつ、説明されているが、以上述べた実施の形態に対し、本発明の技術的思想および目的の範囲から逸脱することなく、形状、材質、数量、その他の詳細な構成において、当業者が様々な変形を加えることができる。
【００４３】
前記実施形態では、曜針５２の回動中心の位置、回動角度、指示方向、および、表示部５１の扇形の円中心Ｏ、扇形角度、が例示されていたが、指示部材の回動中心の位置、回動角度、指示方向、および表示部の扇形中心の位置、扇形角度などは任意に構成できる。
【００４４】
例えば、図６で示した時計８のように、曜針８２の回動中心を１０時半位置に設け、扇形の表示部８１は１０時位置の円中心Ｏから文字板１１中心に向かって拡がるように設けることもできる。この時計８のムーブメント９には、図２で示したムーブメント２と同様に、曜表示装置２０と同様の表示装置（不図示）が組み込まれている。ムーブメント９に組み込まれた曜表示装置は、図４で示した曜表示装置２０において、レバー４３が設けられる位置がムーブメント９の外周側に移動し、また、曜針５２の軸部４３１への取り付け位置が表示部８１の向きに合うように調整されたものである。
【００４５】
また、時計８における曜針８２（図６）の回動角度は、時計１における曜針５２（図１）の回動角度よりも大きく、これは、例えば、曜表示装置２０のカム４２（図４）のアルキメデス渦巻線形状において、回転角に比例する中心からの距離の増分を大きくして、開始端部４２２とピーク部４２１との距離を大きくすることで実現できる。すなわち、カム４２における増分が大きければ、カム４２の回転に応動するレバー４３（図４）も広範囲に回動し、レバー４３に取り付けられた曜針８２（図６）の回動角度が大きいものとなる。よって、表示部８１（図６）の扇形角度は表示部５１（図１）の扇形角度よりも大きいものとなっている。なお、曜針５２，８２の回動角度は、カム４２の形状とレバー４３の形状（図４）との関係で決められる。したがって、レバー４３の形状を変更することによっても曜針８２の回動角度を変更することができ、時計の外観デザインを変更することが可能である。
【００４６】
また、指示部材の形状としては、前記実施形態のような針状に限らず、例えば、動物や花などが図案化されたものやキャラクター・デザインも採用できる。
表示部の形状は、扇形の円弧部分のみが示されたものであってもよい。
【００４７】
前記実施形態では、曜表示装置２０によるレトロ調の曜表示が採用されていたが、本発明の表示装置は、曜に限らず、日、月、年などの暦表示、あるいは、大安、仏滅などの暦注表示、さらに、時、分、秒などの時刻表示などにも適用できる。この際、駆動車、従動車、歯車部、指示車の減速比（増速比）などは、表示の目的に応じた送り量となるように適宜決められる。
また、本発明の表示装置を複数設け、例えば月と曜、曜と日などの複数系統のレトロ調表示を実現することもできる。
【００４８】
そして、暦表示や時刻表示に関して従来のリング状の回転板（日車、曜車など）を本発明と併せて採用することもできる。例えば、回転板によって日を表示し、本発明の表示部において、月や曜を表示する構成とすることが考えられる。このような構成としても、本発明の表示装置は簡素な構造であるため、駆動車、従動車などを回転板の内周部分に容易に組み込むことができる。
【図面の簡単な説明】
【００４９】
【図１】本発明の実施形態における時計の外観を示す平面図。
【図２】前記実施形態における時計のムーブメントを示す平面図。
【図３】前記実施形態における時計のムーブメントの要部断面図。
【図４】図２の要部拡大図であり、時計の表示装置を示す平面図。
【図５】前記実施形態における曜表示装置の動作を示す図。
【図６】本発明の変形例に係る時計の外観平面図。
【符号の説明】
【００５０】
１，８・・・時計、２０・・・曜表示装置（表示装置）、２３・・・地板、２４・・・押さえ（板部材）、３１・・・筒車（駆動車）、３２・・・曜回し車（中間車）、４１・・・曜中間車（従動車）、４２・・・カム、４３・・・レバー、５１・・・表示部、５２，８２・・・曜針（指示部材）、２４１・・・開口、３２１・・・送り爪、４３１・・・軸部、４３２・・・本体、４３２Ｂ・・・折り曲げ部、４３２Ｄ・・・重なり部。
【図１】
2006258437.tif 000003
【図２】
2006258437.tif 000004
【図３】
2006258437.tif 000005
【図４】
2006258437.tif 000006
【図５】
2006258437.tif 000007
【図６】
2006258437.tif 000008